(57)【要約】【課題】パン排水口の排水継手に弾接する排水継手で排水目皿の排水小孔が閉孔されないようにする。【解決手段】浴槽載置型床パンＰのパン排水口ｂと浴槽排水口ａとを弾性を有する排水継手３で接続し、該排水継手３を、パン排水口ｂに設けた排水目皿５表面に弾接する形態への変化を許容する所要形状に形成した浴槽用排水接続構造Ａであって、排水目皿５または排水継手３に、排水目皿５に弾接する排水継手３とその排水目皿５との間に排水小孔２５への排水案内空間１７を形成する空間形成手段７を設ける。【選択図】  図１
2004300763.tif 000002
【特許請求の範囲】
【請求項１】
浴槽載置型床パンのパン排水口と浴槽排水口とを弾性を有する排水継手で接続し、該排水継手を、パン排水口に設けた排水目皿表面に弾接する形態への変化を許容する所要形状に形成した浴槽用排水接続構造であって、前記排水目皿または排水継手に、排水目皿に弾接する排水継手とその排水目皿との間に排水小孔への排水案内空間を形成する空間形成手段を設けていることを特徴とする浴槽用排水接続構造。
【請求項２】
前記空間形成手段が、排水目皿表面または排水継手外面に設けた凸部であり、該凸部は排水継手が排水目皿表面に弾接した際、その凸部間に排水小孔への排水案内空間を形成することを特徴とする請求項１記載の浴槽用排水接続構造。
【請求項３】
前記排水継手から外側に向けて一体に設けたレリース遊挿用の小形部を介して非変形性のレリース導入部を設けていることを特徴とする請求項１または２記載の浴槽用排水接続構造。
【請求項４】
前記レリース導入部に、浴槽上縁面上方の空間に連絡されるガイドチューブのその下端側を接続していることを特徴とする請求項３記載の浴槽用排水接続構造。
【請求項５】
前記排水継手は、内部中空な上下一対の末広がり状部をその大形側を背中合わせに連設して弾性変形部を構成していることを特徴とする請求項１〜４いずれか１項記載の浴槽用排水接続構造。
【発明の詳細な説明】
【０００１】
【発明の属する技術分野】
本発明は、浴槽載置型床パンと、浴槽排水口とを接続する排水継手を備えた浴槽用排水接続構造に関するものである。
【０００２】
【従来の技術】
従来、浴槽用排水接続構造には、浴槽載置型床パンのパン排水口と浴槽排水口とを弾性を有する排水継手で接続した構成のものがある（例えば、特許文献１参照）。
【０００３】
【特許文献１】
特開平１１−２４１３８７号公報（第１頁、図１）
【０００４】
【発明が解決しようとする課題】
前記先行技術は、パン排水口と浴槽排水口との芯ズレ、浴槽と床パンの浴槽載置部との間の寸法変化にその排水継手の弾性機能が対応するものである。
そして、遠隔操作用のレリースをその排水継手を挿通して浴槽排水口に装備される排水部と、浴槽リム等に設けられる操作部とに連絡し、操作部の操作でそのレリースを介して排水部を上下動させて浴槽排水口を交互に開閉するようになっている。
この先行技術で用いられる排水継手は、蛇腹管の下半部に非変形部を備え、その非変形部からレリースを水密状に挿し入れると共に、パン排水口に固定されている排水連結管に排水継手の下端を弾性的に嵌合して締付リングで締結し、その排水連結管を排水口部材に螺嵌して接続構造を構成する。
【０００５】
この先行技術の場合、その非変形部が浴槽と床パンの浴槽載置部との間のスペースを占有して弾性変形量を少なく抑制し、浴槽と浴槽載置部との間の寸法変化に対する自由度を小さくする問題の他、洗い場側からのオーバーフロー水等を排水できない問題がある。
【０００６】
そこで、図６に示すように、洗濯機パンと同様に、パン排水口ｂに差込孔１５と排水小孔２５とを有する排水目皿５を設け、その排水目皿５に排水継手３の下端側を差し入れ、洗い場側からのオーバーフロー水等をその排水小孔２５から排水可能とし、排水継手３として今日弾性変位量が大きいと言われている非変形部のない蛇腹管を使用することが提案できる。
【０００７】
しかしながら、蛇腹管等のように弾性変形量が大きいと言われている排水継手３にあっては、排水継手３を垂直方向に弾性変形させて浴槽排水口ａと、パン排水口ｂとを水密状に接続した際、浴槽Ｂと浴槽載置部Ｐ１との間のスペースが狭い場合、弾性変形するその蛇腹管が排水目皿５に弾接して排水小孔２５を閉孔し、洗い場側からのオーバーフロー水等を排水できなくする。
また、蛇腹管であっても、その複数の襞部によって垂直方向の弾性変形量が制限され、浴槽Ｂと浴槽載置部Ｐ１との間の寸法変化に対する自由度を大きくする主旨からして、決して好適なものでもなかった。
【０００８】
本発明は上記従来事情に鑑みてなされたもので、その課題は、パン排水口の排水継手に弾接する排水継手で排水目皿の排水小孔が閉孔されないようにすることである。
更に他の課題は、遠隔操作用のレリースの配線を簡単に行なえるようにすることである。
更に他の課題は、水密性を向上させて浴槽排水口とパン排水口とを接続することである。
【０００９】
【課題を解決するための手段】
上記課題を解決するために講じた技術的手段は、浴槽載置型床パンのパン排水口と浴槽排水口とを弾性を有する排水継手で接続し、該排水継手を、パン排水口に設けた排水目皿表面に弾接する形態への変化を許容する所要形状に形成した浴槽用排水接続構造であって、前記排水目皿または排水継手に、排水目皿に弾接する排水継手とその排水目皿との間に排水小孔への排水案内空間を形成する空間形成手段を設けていることを特徴とする浴槽用排水接続構造である（請求項１）。
前記空間形成手段の一例としては、排水目皿表面または排水継手外面に設けた構造簡単な凸部を挙げることができる。その凸部は排水目皿の表面や排水継手の外面に適宜間隔をおいて形成する。排水継手が排水目皿の凸部を弾接面として弾性変形して凸部間に排水小孔への排水案内空間を形成したり、外面の凸部を排水目皿の表面に弾接させて排水継手が弾性変形し、同様に凸部間に排水小孔への排水案内空間を形成する（請求項２）。
【００１０】
そして、前記排水継手から外側に向けて一体に設けたレリース遊挿用の小形部を介して非変形性のレリース導入部を設けている場合も有効なものである（請求項３）。前記レリース導入部は、排水継手の弾性変形時の応力を受けて弾性変形しない程度の強度を有する所要の材料で成形する。前記小形部の長さは短尺で、断面視円形のものが好ましいものである。
【００１１】
以上の手段にあっては、レリースの接続継手内への導入手段を、排水継手の弾性変形応力（形状変化応力）の影響を受けても難変形性の小形部と、保形性を有するレリース導入部とで構成して、弾性変形時の排水継手が小形部内のレリース遊挿空間を潰さないようにする。
【００１２】
更に、レリース導入部に、浴槽上縁面上方の空間に連絡されるガイドチューブのその下端側を接続していると、浴槽設置施工時及びメンテナンス時に浴槽上縁面上方からのレリースの案内を可能にして、配線作業の簡素化に寄与し（請求項４）、また前記排水継手が、内部中空な上下一対の末広がり状部をその大形側を背中合わせに連設して弾性変形部を構成する形状にしてあると、弾性変形量を増大させる上で好適である（請求項５）。
【００１３】
【発明の実施の形態】
次に、本発明の実施の形態を説明する。
図１〜図４は本実施の形態浴槽用排水接続構造の実施の形態を示し、符号Ａがその浴槽用排水接続構造である。
この浴槽用排水接続構造Ａは、図１、図２に示すように、浴槽排水口ａに取付られる排水口部材１と、その排水口部材１に設けられる排水栓装置の排水部２と、前記排水口部材１と浴槽載置型床パンＰの浴槽載置部Ｐ１に開口されているパン排水口ｂとを接続する排水継手３と、そのパン排水口ｂに接続されるトラップ継手４と、そのパン排水口ｂを被蓋する排水目皿５等とを備えている。
【００１４】
浴槽載置型床パンＰは、浴槽載置部Ｐ１と洗い場（図示せず）とを中途に段設形成された土手Ｐ２を介して連設した周知構造のもので、係止鍔１６を上端に備えた取付部材６にトラップ継手４上端部を螺嵌することによって、浴槽載置部Ｐ１に開口されているパン排水口ｂにそのトラップ継手４を取り付けるようになっている。
【００１５】
前記取付部材６には、前記排水目皿５が水密状に嵌着されている。
前記排水目皿５は、中央部に排水継手３下端の差込筒１３を水密状に差し入れる差込口１５を開口し、その差込口１５の周囲に等間隔をおいて空間形成手段７を設けている。
【００１６】
前記空間形成手段７は、凸部であり、図３に示すにように、本実施の形態では排水目皿５の差込口１５側に向かって下り勾配の傾斜面を上面に有する正面視三角形状を呈してなり、前記排水小孔２５…間の排水目皿５の表面から突設して、排水継手３が排水目皿５の表面に弾接する際、その凸部７、７間にその排水小孔２５…に連通する排水案内空間１７を形成するようになっている（図２参照）。
【００１７】
前記排水部２は、図２に示すように、レリースＬの進動側でロックと、ロック解除とを交互に繰り返すスラストロック機構（図示せず）を内蔵したメカボックス１２から上下動可能に突出する支持軸２２に栓蓋３２を支持させて、その栓蓋３２で浴槽排水口ａを交互に開閉するように構成されており、ブラケット４２で排水口部材１に係脱可能に取付られている。
このブラケット４２は、排水口部材１の下端内面に設けた段部１１に係脱する係止爪４２ｂを下端に形成した短筒部４２ａの中心にメカボックス１２を配置し、メカボックス１２の周面から放射状に延設した腕部４２ｃを前記短筒部４２ａに連設した周知の構成になっており、その腕部４２ｃ、４２ｃ間を排水スペース８としている。
この実施の形態では、栓蓋３２からメカボックス１２に外嵌挿するガイド筒３２ａを垂設して、栓蓋３２の上下動時の直進性を維持するように配慮され、該ガイド筒３２において、前記腕部４２ｃと干渉する部分には、干渉を避ける凹部を下端側から凹設してある。
【００１８】
排水継手３は、ゴム、合成樹脂等の弾性材料を用いて、内部中空な上下一対の末広がり状部（台形状の筒）３ａ、３ａをその大形側（大径側）を背中合わせにし連設して襞によって垂直方向の弾性変形量が制限されない弾性変形部３’を構成してなり、上端側に排水口部材１下端部に接続する筒状の接続部２３を、下端側に前記排水目皿５の差込口１５に差し入れる差入筒１３を各々一体に有しており、接続部２３を、一体的に設けたナット部材９で排水口部材１に螺嵌し、差込筒１３を差込口１５に水密状に差し入れて、浴槽排水口ａとパン排水口ｂとを接続している。
符号３３が差込筒１３外面に突設されたシール鰭部であり、このシール鰭部３３が差込筒１３差し込み時に弾圧されて水密性を維持するようになっている。
【００１９】
また、排水継手３には、上半部の末広がり状部３ａからレリース遊挿用の小形部（断面円形が好ましいものである）４３を一体に外側に向けて設け、その先端に非変形性のレリース導入部１０を設けている。
【００２０】
前記小形部４３は、本実施の形態では、レリースＬの直径に対して２〜３倍程度の小径、短尺（１０ｍｍ〜１５ｍｍ）なもので、外端部にはレリース導入部１０が嵌着固定されている。
【００２１】
レリース導入部１０は、硬質樹脂、硬質ゴム製の管状のもので、外半側を小形部４３に比して大径にすると共に、外面中途部に環状突条部１０ａを突設しており、その突条部１０ａを位置決め部としてレリースＬのガイドチューブＧ下端側を嵌着により接続するようになっている。
【００２２】
前記ガイドチューブＧは、レリースＬを案内するものであり、上端側を浴槽Ｂの上縁面に開口した操作口ｂ１に取付られる操作筒Ｓに嵌着して接続して間接的に浴槽上縁面上方の空間に連絡（連通）してなり、内部に配線されるレリースＬの下端は前記レリース導入部１０、小形部４３を介して排水継手３内に導入して前記メカボックス１２に接続し、レリースＬ上端はその操作筒Ｓに装設される操作部Ｃに接続するようになっている。
【００２３】
尚、図１中で、符号Ｄは洗い場側の排水口に連絡する排水トラップＴとトラップ継手４とを接続する接続チューブである。
【００２４】
以上のように構成されている浴槽用排水接続構造Ａは、図４に示す状態から排水継手３下端の差込筒１３を排水目皿５の差込口１５に水密状に差し込んで施工される。
その際、浴槽Ｂと排水継手３の弾性変形部３’が有する垂直方向への優れた弾性変形量で浴槽Ｂと浴槽載置部Ｐ１との間の寸法変化に対応する自由度を拡大して浴槽排水口ａとパン排水口ｂとを接続する（図１、図２参照）。
そして、浴槽排水口ａとパン排水口ｂとを接続する弾性変形時の排水継手３が排水目皿５の表面に弾接することがあっても、凸部７、７間に排水小孔２５への排水案内空間１７を形成し、洗い場側からのオーバーフロー水等を排水する。
また、弾性変形の影響を受け難い小径な小形部４３と、その小形部４３先端に設けられるレリース導入部１０の保形性（剛性）で小形部４３のレリース遊挿空間４３ａが潰されないようになるため、浴槽設置施工時にレリースＬの先端側をガイドチューブＧを介して浴槽上縁面上方側から挿入する時でもレリース導入部１０、小形部４３を経て排水継手３内に挿入して、メカボックス１２下端に容易に接続することができる。
尚、メカボックス１２とレリースＬとの接続は、前記ブラケット４２を排水口部材１から外して、レリースＬ先端を浴槽Ｂ内まで導き、浴槽Ｂ内でメカボックス１２下端にその先端を接続後、ブラケット４２を前記段部１１に再係止する。
また、メンテナンス時にも、レリース遊挿空間４３ａが存在するため、レリースＬの抜き取り及び最挿入が浴槽設置施工時の時と同様に簡単に行なえる。
【００２５】
図５は、前記レリース導入部１０にキャップ状の止水ブッシュ１０ａを嵌着した変形例を示すものであり、その止水ブッシュ１０ａに開孔したレリースＬと同径もしくは若干小径なレリース挿通孔１０ｂからレリースＬを水密状に挿入している。
【００２６】
尚、前記スラストロック機構は、操作部Ｓ側に内蔵しても良いものである。また排水目皿５は、その排水小孔２５…に逆流を防止するフロート弁を付設する構成を採用しても良いものである。
【００２７】
【発明の効果】
本発明は以上のように排水目皿または排水継手に、排水目皿に弾接する排水継手とその排水目皿との間に排水小孔への排水案内空間を形成する空間形成手段を設けているので、浴槽排水口とパン排水口を水密状に接続する排水継手が排水目皿の表面に弾接することがあっても、洗い場側からのオーバーフロー水等が排水されずに停滞して浴槽載置部を汚染したり不衛生にすることがない。
そのため、浴槽脚を短くして浴槽への跨ぎ込み高さを低く抑制したバリアフリー対応の浴槽であっても、優れた排水性を具備できる。
【００２８】
しかも、レリースの導入手段を、排水継手から外部に向けて突設した小形部と、その小形部先端に設けられる非変形性のレリース導入部とで構成しているため、排水継手の弾性変形応力（形状変化応力）の影響を受け難くした小形部と、レリース導入部の保形性とで、小形部内のレリース遊挿空間が潰れないようになるから、先行技術のように浴槽設置施工時、メンテナンス時にレリースを排水継手内に強制的に挿し入れるような配線作業を強いる必要がなくなり、レリースの配線作業が非常に簡単に行なえるし、例えば排水継手に非変形性のレリース導入部を直接的に設けた場合のようにそのレリース導入部の保形性で排水継手の弾性変形が阻害される虞れもない。
従って、浴槽脚を短くして浴槽への跨ぎ込み高さを低く抑制したバリアフリー対応の浴槽であっても、レリースの配線作業を造作なく行なうことができる。
【００２９】
更に、レリース導入部にレリースのガイドチューブを接続しているため、排水継手にレリースを挿入する浴槽用排水接続構造でありながら、浴槽上縁面上方からガイドチューブにレリースを挿入することによって簡単に配線でき、先行技術のようにいちいちエプロン板を外して浴槽バック空間を開け閉めする面倒な前作業、後作業も必要としない。
【００３０】
その上、排水継手を内部中空な上下一対の末広がり状部をその大形側を背中合わせに連設して弾性変形部を構成する形状にしているため、蛇腹管からなる排水継手に比べて弾性変形量が増大し、パン排水口と浴槽排水口との密着性を高めて水密性を向上させることができるばかりでなく、浴槽と床パンの浴槽載置部との間の寸法変化に対応する自由度を大幅に拡大できる。
【図面の簡単な説明】
【図１】本実施の形態浴槽用排水接続構造の使用状態を示す正面断面図で一部省略して示す。
【図２】図１の要部の拡大図。
【図３】排水目皿を含む要部の拡大斜視図。
【図４】排水継手をパン排水口に差し入れる前の状態を示す同正面断面図。
【図５】浴槽用排水接続構造の変形例の使用状態を示す正面断面図で一部省略して示す。
【図６】従来例における浴槽用排水接続構造の使用状態を示す正面断面図。
【符号の説明】
Ａ：浴槽用排水接続構造      Ｐ：浴槽載置型床パン
ａ：浴槽排水口              ｂ：パン排水口
３：排水継手                ５：排水目皿
２５：排水小孔                ７：空間形成手段
４３：小形部                １０：レリース導入部
Ｇ：ガイドチューブ        ３ａ：末広がり状部
３’：弾性変形部            １７：排水案内空間
Ｐ１：浴槽載置部              Ｌ：レリース
【図１】
2004300763.tif 000003
【図２】
2004300763.tif 000004
【図３】
2004300763.tif 000005
【図４】
2004300763.tif 000006
【図５】
2004300763.tif 000007
【図６】
2004300763.tif 000008
【手続補正書】
【提出日】平成15年4月3日(2003.4.3)
【手続補正１】
【補正対象書類名】明細書
【補正対象項目名】請求項５
【補正方法】変更
【補正の内容】
【請求項５】
前記排水継手は、上下一対の末広がり状部をその大形側を背中合わせに連設して弾性変形部を構成していることを特徴とする請求項１〜４いずれか１項記載の浴槽用排水接続構造。
【手続補正２】
【補正対象書類名】明細書
【補正対象項目名】００１２
【補正方法】変更
【補正の内容】
【００１２】
更に、レリース導入部に、浴槽上縁面上方の空間に連絡されるガイドチューブのその下端側を接続していると、浴槽設置施工時及びメンテナンス時に浴槽上縁面上方からのレリースの案内を可能にして、配線作業の簡素化に寄与し（請求項４）、また前記排水継手が、上下一対の末広がり状部をその大形側を背中合わせに連設して弾性変形部を構成する形状にしてあると、弾性変形量を増大させる上で好適である（請求項５）。


【手続補正３】
【補正対象書類名】明細書
【補正対象項目名】００１８
【補正方法】変更
【補正の内容】
【００１８】
排水継手３は、ゴム、合成樹脂等の弾性材料を用いて、上下一対の末広がり状部（台形状の筒）３ａ、３ａをその大形側（大径側）を背中合わせにし連設して襞によって垂直方向の弾性変形量が制限されない弾性変形部３’を構成してなり、上端側に排水口部材１下端部に接続する筒状の接続部２３を、下端側に前記排水目皿５の差込口１５に差し入れる差入筒１３を各々一体に有しており、接続部２３を、一体的に設けたナット部材９で排水口部材１に螺嵌し、差込筒１３を差込口１５に水密状に差し入れて、浴槽排水口ａとパン排水口ｂとを接続している。
符号３３が差込筒１３外面に突設されたシール鰭部であり、このシール鰭部３３が差込筒１３差し込み時に弾圧されて水密性を維持するようになっている。


【手続補正４】
【補正対象書類名】明細書
【補正対象項目名】００３０
【補正方法】変更
【補正の内容】
【００３０】
その上、排水継手を上下一対の末広がり状部をその大形側を背中合わせに連設して弾性変形部を構成する形状にしているため、蛇腹管からなる排水継手に比べて弾性変形量が増大し、パン排水口と浴槽排水口との密着性を高めて水密性を向上させることができるばかりでなく、浴槽と床パンの浴槽載置部との間の寸法変化に対応する自由度を大幅に拡大できる。